(57)【特許請求の範囲】
【請求項１】
カードを挿入するカード挿入口と、このカード挿入口から挿入されたカードを搬送するカード搬送手段と、このカード搬送手段によって搬送されたカードに記録された情報を処理するカード処理手段と、このカード処理手段によって処理されたカードを排出するカード排出口とを備えたカード処理装置において、前記カード排出口をカード搬送方向と異なる方向に設け、このカード排出口に対応するように、前記カード搬送手段を回転させるモータを設け、前記カード搬送手段とカード処理手段を一つのユニット内に収納し、このユニットを前記モータによって回転させることを特徴とするカード処理装置。
【発明の詳細な説明】
【０００１】
【発明の属する技術分野】
本発明は、ＩＣカード、磁気カード、その他記録媒体としてのカードをカード処理部によって処理し、処理内容によってカードをカード挿入口とは別のカード排出口から排出するカード処理装置に関する。
【０００２】
【従来の技術】
例えば、情報が記録されたカードをカード処理部によって処理した結果、価値情報が残存しない、いわゆる使用済みカードとなった場合には、これを利用者に返却することなく回収する場合がある。この場合には、カード挿入口とは別のカード排出口からカードを回収するようにしている。この種のカード処理装置として、特開２０００−１４８９１７に開示されたものがある。ここに開示されたものは、カード挿入口から挿入されたカードを搬送しカード処理部でカードを処理する第１のカード搬送路と、この第１のカード搬送路と交差するように設けられた第２のカード搬送路とが備えられている。そして、第１および第２のカード搬送路の交差部には、カードを第１のカード搬送路から第２のカード搬送路に搬送経路を変える切替手段が設けられ、カードを収納する場合には、第２のカード搬送路からカードを排出するようにしている。
【０００３】
【発明が解決しようとする課題】
しかしながら、上述した従来のカード処理装置においては、カード１枚分の狭い領域の搬送路交差部に第１のカード搬送手段の他に第２のカード搬送手段を設けた構造としている。このため、第１のカード搬送手段を搬送路交差部の中央に配置することが困難となることにより、第１のカード搬送手段によるカードの搬送が安定しなくなり、カード詰まりが発生するおそれがあった。また、第１のカード搬送手段から第２のカード搬送手段による搬送経路の切替えが確実に行われないことがあり、このためカードの排出不良の原因ともなっていた。また、第１のカード搬送手段の他に第２のカード搬送手段が必要になるばかりか、切替用のピンチローラやソレノイドも必要になるため、部品点数が増加するだけでなく構造が複雑になるという問題もあった。
【０００４】
本発明は上記した従来の問題に鑑みなされたものであり、第１の目的はカードの排出を確実にすることにある。また、第２の目的は部品点数を削減し、構造を簡素化することにある。
【０００５】
【課題を解決するための手段】
この目的を達成するために、請求項１に係る本発明は、カードを挿入するカード挿入口と、このカード挿入口から挿入されたカードを搬送するカード搬送手段と、このカード搬送手段によって搬送されたカードに記録された情報を処理するカード処理手段と、このカード処理手段によって処理されたカードを排出するカード排出口とを備えたカード処理装置において、前記カード排出口をカード搬送方向と異なる方向に設け、このカード排出口に対応するように、前記カード搬送手段を回転させるモータを設け、前記カード搬送手段とカード処理手段を一つのユニット内に収納し、このユニットを前記モータによって回転させる。
したがって、ユニットを回転させることにより、カードがカード排出口から排出される。
【０００７】
【発明の実施の形態】
以下、本発明の実施の形態を図を用いて説明する。図１は本発明のカード処理装置を示し、図２におけるI-I 線断面図である。図２は図１におけるII-II 線断面図である。図３は同じく外観を示す斜視図、図４は同じくカードをカード排出口から排出可能な状態を示した図２におけるI-I 線断面図である。
【０００８】
図１ないし図３において、全体を符号１で示すものは、カード処理装置としての非接触型ＩＣカード処理装置（以下、単に処理装置と略称する）であって、略密閉状態の箱状に形成された筺体２が備えられている。この筺体２の図１中上下の端部には、非接触型ＩＣカード３（以下、単にカードと略称する）が挿入されるスリット状のカード挿入口５，６が互いに対向するように設けられ、筺体２の図１中左右の端部にはカード３が排出されるスリット状のカード排出口８，７が互いに対向するように設けられている。
【０００９】
筺体２内には、カード挿入口５，６に連通するカード挿入通路１０，１１と、カード排出口７，８に連通するカード排出通路１２，１３が、後述するユニット１５の外周部まで設けられている。カード挿入通路１０，１１が互いに対向する方向（図中矢印Ａ−Ｂ方向）に対して、カード排出通路１２，１３が互いに対向する方向（図中矢印Ｃ−Ｄ方向）は直交している。
【００１０】
次に、図１および図２に基づいて本発明の特徴であるユニット１５について説明する。
ユニット１５には、共に有底円筒状に形成されたアッパーケース１７およびロアーケース１８によって略密閉状態のターンテーブルケース１６が備えられ、このターンテーブルケース１６は上述した筺体２の中央に回動軸１９を回転中心として図１中時計、反時計方向に回転自在に支持されている。このターンテーブルケース１６内には、カード３を搬送するカード搬送通路２０が図１中上下を貫通するように設けられ、上下端のそれぞれには、カード挿入通路１０，１１に連通した開口２１，２２が設けられている。
【００１１】
カード搬送通路２０には、ユニット１５内に収納されたカード搬送手段２３が設けられ、このカード搬送手段２３は、駆動ローラ２４と従動ローラ２５とに張架された搬送ベルト２６と、駆動ローラ２４と従動ローラ２５に対接するピンチローラ２７とによって構成されている。搬送ベルト２６はカード搬送通路２０内に臨むようにしてカード搬送通路２０の図１中左右方向中央を矢印Ａ−Ｂ方向に延在している。駆動ローラ２４は駆動軸２８の一端に軸着され、この駆動軸２８は、他端に軸着されたウォームホィール３２とモータ３０のモータ軸に軸着されたウォーム３１を介して、ターンテーブルケース１６内に固定されたモータ３０の駆動が伝達されている。３５はカード処理手段としてのアンテナ基板であって、カード搬送通路２０の上方に位置付けられるようにして、ターンテーブルケース１６に図示を省略したブラケットを介して固定されている。
【００１２】
４０は筺体２側に固定されたモータであって、このモータ４０のモータ軸に軸着されたウォーム４１と軸４２に軸着されたウォームホィール４３とが噛合している。軸４２にはプーリ４４が軸着され、このプーリ４４と上述した回動軸１９に軸着されたプーリ４５との間に伝達ベルト４６が張架されている。したがって、モータ４０を駆動すると、ウォーム４１、ウォームホィール４２を介して軸４３が回転し、この回転がプーリ４４，伝達ベルト４６、プーリ４５を介して軸１９を回転させるので、ユニット１５が図１中軸１９を回動中心として時計方向または反時計方向に回動する。
【００１３】
次に、このような構成の処理装置におけるカード処理動作を説明する。
図１において、カード３をカード挿入口６から矢印Ａ方向に挿入すると、モータ３０が一方の方向に駆動しモータ軸が回転するので、ウォーム３１、ウォームホィール３２を介して軸２８が回転し駆動ローラ２４が回転する。駆動ローラ２４の回転によって搬送ベルト２６が矢印Ａ方向に走行するので、ユニット１５の開口２２から先端がユニット１５内に挿入されたカード３は、駆動ローラ２４とピンチローラ２７とに挟持され、矢印Ａ方向に搬送される。
【００１４】
カード３の先端が従動ローラ２５に位置すると、モータ３０の駆動が停止し、カード３の搬送も停止するので、アンテナ基板３５によってカード３に記録された価値情報が読み書きされ、カード３の情報が処理される。処理が終了すると、モータ３０が他方の方向に駆動し、搬送ベルト２６が図中矢印Ｂ方向に走行するので、カード３も矢印Ｂ方向に搬送され、ユニット１５の開口２２を通過してカード挿入口６から利用者に返却される。
【００１５】
ここで、アンテナ基板３５によってカード３に記録された価値情報が読み書きされ、その結果、カード３には価値情報が残存しない、いわゆる使用済みカードとなった場合には、モータ４０が一方の方向に駆動する。モータ４０が一方の方向に駆動すると、ウォーム４１、ウォームホィール４２を介して軸４３が回転し、この回転がプーリ４４、伝達ベルト４６、プーリ４５を介して軸１９を回転させるので、ユニット１５が図１中軸１９を回動中心として反時計方向に回動する。
【００１６】
図４に示すように、ユニット１５が反時計方向に９０°回動すると、モータ４０の駆動が停止するので、ユニット１５の開口２２がカード排出口７に対向し、ユニット１５のカード搬送路２０が開口２２を介してカード排出通路１２と連通する。モータ３０が逆方向に駆動し、搬送ベルト２６が図中矢印Ｃ方向に走行するので、使用済みカード３は開口２２を通過してカード排出口７から排出されて管理者に回収される。
【００１７】
このように、本発明では、使用済みカード３をカード挿入口５から返却しないで、カード排出口７から回収しようとして、カード３の搬送方向を矢印Ａ方向から矢印Ｃ方向に変えるのに、カード搬送手段２３を収納したターンテーブルケース１６を９０°回動させ、カード搬送手段２３の搬送方向を変えるようにしたものである。したがって、カード３の矢印Ａ−Ｂ方向の搬送とこれと直交する矢印Ｃ−Ｄ方向の搬送とを、同じカード搬送手段２３によって行うことができるので、搬送方向の切替え後の搬送が確実に行われ、このためカード排出口７からのカード３の排出不良を防止できる。
【００１８】
また、カード３の矢印Ａ−Ｂ方向の搬送とこれと直交する矢印Ｃ−Ｄ方向の搬送とを同じカード搬送手段２３によって行うことにより、従来のように、カード搬送手段を２個必要としないので、部品点数が増加することなく構造も簡素化される。また、カード搬送路２０にカード搬送手段を２個必要としないことにより、カード搬送路２０の中央に搬送ベルト２６を配置することができるので、カード搬送路２０内におけるカードの搬送を安定させることができ、カードの詰まりを防止できる。
【００１９】
カード３を矢印Ｃ方向に搬送してカード排出口７から排出するようにしたが、モータ３０の駆動を正方向とすることにより、矢印Ｄ方向に搬送してカード排出口８から排出するようにしてもよい。また、カードをカード挿入口６から挿入するようにしたが、カード挿入口５から挿入するようにしてもよい。また、カード３を非接触型ＩＣカードとしたが、接触型のＩＣカードとしてもよく、また磁気カードとしてもよい。また、カード処理部としてのアンテナ基板３５をカード搬送手段２３と同じユニット１５内に収納し、カード搬送手段２３と一体的に回転させるようにしたが、アンテナ基板３５を筺体２側に固定し、カード搬送手段２３だけを回転させるようにしてもよい。また、カード排出口７，８を２個設けたが１個でもよく、またカード搬送方向Ａ−Ｂと直交する方向Ｃ−Ｄに設けたが、必ずしも直交する方向でなくてもよく、種々の設計変更が可能である。また、モータ４０と回動軸１９との間の回転伝達手段として伝達ベルト４６を用いたが、ギア列によってもよい。
【００２０】
【発明の効果】
以上説明したように本発明によれば、カードの排出不良を防止できるだけでなく、部品点数が削減され、構造も簡素化される。また、カードの搬送を安定させることができ、カードの詰まりを防止できる。
【図面の簡単な説明】
【図１】  本発明のカード処理装置を示し、図２におけるI-I 線断面図である。
【図２】  図１におけるII-II 線断面図である。
【図３】  本発明のカード処理装置の外観を示す斜視図である。
【図４】  本発明のカード処理装置において、カードをカード排出口から排出可能な状態を示した図２におけるI-I 線断面図である。
【符号の説明】
１…カード処理装置、２…筺体、３…非接触型ＩＣカード、５，６…カード挿入口、７，８…カード排出口、１５…ユニット、１６…ターンテーブルケース、１９…回動軸、２０…カード搬送路、２１，２２…開口、２３…カード搬送手段、２４…駆動ローラ、２５…従動ローラ、２６…搬送ベルト、３０，４０…モータ。
【図１】
0003812339.tif 000002
【図２】
0003812339.tif 000003
【図３】
0003812339.tif 000004
【図４】
0003812339.tif 000005